(57)【要約】【課題】排泄口対向領域の後側、具体的には着用者の会陰部に対向する領域におけるフィット性をより向上させることができる吸収性物品を提供する。【解決手段】吸収性物品１は、互いに直交する前後方向Ｌ及び幅方向Ｗと、吸収体３０と、少なくとも吸収体３０に形成された圧搾部８０と、を備える。圧搾部８０は、着用者の排泄口に対向する領域である排泄口対向領域Ｓ１の後側の領域に、前側又は後側へ向かうにつれて幅方向Ｗにおける外側へ延びる複数の第１圧搾部８１を有する。複数の第１圧搾部８１は、幅方向Ｗにおける吸収性物品１の中心を通る中心線ＣＬを挟んで両側に配置されており、前後方向Ｌに並んで配置されている。複数の第１圧搾部８１は、着用者の会陰部に対向する領域である会陰部対向領域Ｓ４に設けられている。【選択図】図５
2018175600.tif 000002
【特許請求の範囲】
【請求項１】
互いに直交する前後方向及び幅方向と、
吸収体と、
少なくとも前記吸収体に形成された圧搾部と、を備えた吸収性物品であって、
前記圧搾部は、着用者の排泄口に対向する領域である排泄口対向領域の後側の領域に、前側又は後側へ向かうにつれて前記幅方向における外側へ延びる複数の第１圧搾部を有し、
前記複数の第１圧搾部は、前記幅方向における前記吸収性物品の中心を通る中心線を挟んで両側に配置されており、前記前後方向に並んで配置されており、
前記複数の第１圧搾部は、着用者の会陰部に対向する領域である会陰部対向領域に設けられている、吸収性物品。
【請求項２】
前記複数の第１圧搾部は前記前後方向に互いに連結している、請求項１に記載の吸収性物品。
【請求項３】
前記複数の第１圧搾部の各々は、前記幅方向における外側へ向かうとともに曲線的に湾曲している、請求項１又は２に記載の吸収性物品。
【請求項４】
前記幅方向における前記複数の第１圧搾部どうしの間の領域は、前記幅方向における前記複数の第１圧搾部よりも外側に位置する前記吸収体の領域よりも低い剛性を有する低剛性領域を有する、請求項１から３のいずれか１項に記載の吸収性物品。
【請求項５】
前記低剛性領域は、前記複数の第１圧搾部どうしの間の領域よりも後方へ延びており、
前記圧搾部は、前記複数の第１圧搾部よりも後側で、前記低剛性領域を挟んで両側に配置された第３圧搾部を有する、請求項４に記載の吸収性物品。
【請求項６】
前記低剛性領域は、前記幅方向における前記複数の第１圧搾部よりも外側に位置する前記吸収体の目付よりも低い目付を有する前記吸収体によって構成される、請求項４又は５に記載の吸収性物品。
【請求項７】
前記幅方向における前記排泄口対向領域の中央に、前記幅方向における前記排泄口対向領域の端部の前記吸収体の目付よりも高い目付を有する高目付領域が設けられている、請求項１から６のいずれか１項に記載の吸収性物品。
【請求項８】
前記圧搾部は、前記中心線を挟んで両側に、前記前後方向に延びる一対の第２圧搾部を前記排泄口対向領域に有する、請求項１から７のいずれか１項に記載の吸収性物品。
【請求項９】
前記複数の第１圧搾部の前側の端部は、前記第２圧搾部の後側の端部よりも、前記幅方向における内側に配置されている、請求項８に記載の吸収性物品。
【請求項１０】
前記吸収性物品を下着に固定する接合部を有し、
前記複数の第１圧搾部の少なくとも１つは、厚み方向において前記接合部と重ならない領域に配置されている、請求項１から９のいずれか１項に記載の吸収性物品。
【発明の詳細な説明】
【技術分野】
【０００１】
本発明は、生理用ナプキンのような吸収性物品に関する。
【背景技術】
【０００２】
特許文献１は、生理用ナプキンを開示する。このような生理用ナプキンは、使用時に、下着のような着衣に取り付けられる。この生理用ナプキンは、液保持性の吸収体と、吸収体の肌対向面側に配置された表面シートと、吸収体の非肌対向面側に配置された裏面シートと、を備える。
【０００３】
生理用ナプキンは、表面シートと吸収体とが一体的に裏面シート側に凹陥してなる線状の圧搾溝を有する。この線状の圧搾溝は、着用者の排泄口、例えば膣口に対向する領域である股下域から、股下域よりも後側へ向かって直線状に延びている。
【先行技術文献】
【特許文献】
【０００４】
【特許文献１】特許第５８４３５９８号公報
【発明の概要】
【発明が解決しようとする課題】
【０００５】
着用者が、特許文献１に記載された吸収性物品を着用したとき、着用者の排泄口に対向する股下域は、着用者の両脚の間に挟まれる。このときに、吸収体の目付が高い中高部を股下域に設けたり、中高部を挟んで両側に一対の圧搾溝を設けたりすることにより、吸収性物品が着用者の排泄口にフィットし易くなっている。
【０００６】
しかしながら、本願の発明者は、このような吸収性物品について以下のような課題を発見した。吸収性物品は、使用前には概ね平らな状態であるが、使用時には下着に沿って前後方向に湾曲した状態になる。使用時における前後方向の湾曲によって、吸収体の一部が着用者の肌から離れるような歪みが生じることがある。この吸収体の歪みは、排泄口対向領域の後側で最も着用者の身体の曲率の高い領域、具体的には着用者の会陰部に対向する領域に生じ易い。この歪みのせいで吸収体と会陰部との間に隙間が生じることがあり、経血のような体液が、この隙間の領域で着用者の脚を伝って吸収性物品の幅方向へ流れ、吸収性物品の側方へ漏れてしまうことがある。
【０００７】
したがって、排泄口対向領域の後側、具体的には着用者の会陰部に対向する領域におけるフィット性をより向上させることができる吸収性物品が望まれる。
【課題を解決するための手段】
【０００８】
一態様に係る吸収性物品は、互いに直交する前後方向及び幅方向と、吸収体と、少なくとも前記吸収体に形成された圧搾部と、を備えた吸収性物品であって、前記圧搾部は、着用者の排泄口に対向する領域である排泄口対向領域の後側の領域に、前側又は後側へ向かうにつれて前記幅方向における外側へ延びる複数の第１圧搾部を有し、前記複数の第１圧搾部は、前記幅方向における前記吸収性物品の中心を通る中心線を挟んで両側に配置されており、前記前後方向に並んで配置されており、前記複数の第１圧搾部は、着用者の会陰部に対向する領域である会陰部対向領域に設けられている。
【発明の効果】
【０００９】
上記態様によれば、排泄口対向領域の後側、具体的には着用者の会陰部に対向する領域におけるフィット性をより向上させることができる吸収性物品を提供することができる。
【図面の簡単な説明】
【００１０】
【図１】一実施形態における吸収性物品の平面図である。
【図２】一実施形態における吸収性物品の背面図である。
【図３】図１に示すＡ−Ａ線に沿った吸収性物品の断面図である。
【図４】図１に示すＢ−Ｂ線に沿った吸収性物品の断面図である。
【図５】図１に示すＣ−Ｃ線に沿った吸収性物品の断面図である。
【図６】図１のＡ−Ａ線を基準とした着用状態の吸収性物品の断面図である。
【図７】図１のＣ−Ｃ線を基準とした着用状態の吸収性物品の断面図である。
【図８】着用状態の吸収性物品の前後方向に沿った部分的断面図である。
【発明を実施するための形態】
【００１１】
（１）実施形態の概要
本明細書及び添付図面の記載により、少なくとも以下の事項が明らかとなる。
【００１２】
一態様に係る吸収性物品は、互いに直交する前後方向及び幅方向と、吸収体と、少なくとも前記吸収体に形成された圧搾部と、を備え、前記圧搾部は、着用者の排泄口に対向する領域である排泄口対向領域の後側の領域に、前側又は後側へ向かうにつれて前記幅方向における外側へ延びる複数の第１圧搾部を有し、前記複数の第１圧搾部は、前記幅方向における前記吸収性物品の中心を通る中心線を挟んで両側に配置されており、前記前後方向に並んで配置されており、前記複数の第１圧搾部は、着用者の会陰部に対向する領域である会陰部対向領域に設けられている。
【００１３】
吸収性物品の排泄口対向領域は、着用中に着用者の両脚に挟まることによって比較的高い剛性になるとともに、着用者の排泄口にフィットするように構成されている。このような状態で、吸収性物品は、着用者の身体の湾曲に沿って前後方向にも湾曲される。
【００１４】
上記態様によれば、吸収性物品の幅方向内側へ向かう力は、中心線を挟んで両側に配置された一対の第１圧搾部へ伝わる。各々の第１圧搾部は、前側又は後側へ向かうにつれて幅方向における外側へ延びているため、第１圧搾部の外側部分へ伝わった力は第１圧搾部に沿って幅方向の内側へ向かう。そのため、中心線を挟んで両側に配置された一対の第１圧搾部の幅方向の内側の端部どうし結ぶ仮想折線（図１の符号ＦＬ参照）上に力が加わり、その結果、吸収性物品は、仮想折線を基点に前後方向に曲がり易くなる。
【００１５】
複数の第１圧搾部が前後方向に複数並んでいるので、上記の仮想折線は、排泄口対向領域の後側の領域に複数形成される。この複数の仮想折線を基点に前後方向に吸収体が徐々に曲がるため、吸収体に意図しない大きな歪が生じ難い。その結果、着用者の肌と吸収体との間に隙間が生じ難く、排泄口対向領域の後側の領域におけるフィット性をより向上させることができる。
【００１６】
特に、会陰部対向領域は、着用者の会陰部、すなわち膣口と肛門との間の領域に相当する。着用者の会陰部は、前後方向における着用者の身体の湾曲が大きい領域に相当する。この領域に複数の第１圧搾部が設けられていることで、複数の仮想折線が会陰部対向領域に形成されることになる。これにより、会陰部対向領域において、複数の仮想折線を基点に前後方向に吸収体が徐々に曲がるため、会陰部対向領域におけるフィット性をより向上させることができる。
【００１７】
好ましい一態様によれば、前記複数の第１圧搾部は前記前後方向に互いに連結している。
【００１８】
前後方向において第１圧搾部どうしの間にギャップが存在すると、そのギャップのところで吸収体が意図せず大きく歪んでしまう可能性がある。複数の第１圧搾部が前後方向に互いに連結しているので、このような吸収体の意図しない歪みを抑制することができ、前述の仮想折線のところで吸収体を意図的に曲げ易くなる。
【００１９】
好ましい一態様によれば、前記複数の第１圧搾部の各々は、前記幅方向における外側へ向かうとともに曲線的に湾曲している。
【００２０】
会陰部対向領域は、着用者の両脚に挟まれる領域に位置する。会陰部対向領域に設けられた第１圧搾部が幅方向における外側に直線的に延びていると、比較的剛性の高い第１圧搾部の外側端部が着用者の両脚に強く圧力を与えることがある。本態様では、複数の第１圧搾部の各々が幅方向における外側へ向かうとともに曲線的に湾曲しているため、着用者の両脚に与えられる圧力が緩和され、吸収性物品の履き心地を良くすることができる。
【００２１】
好ましい一態様によれば、前記幅方向における前記複数の第１圧搾部どうしの間の領域は、前記幅方向における前記複数の第１圧搾部よりも外側に位置する前記吸収体の領域よりも低い剛性を有する低剛性領域を有する。
【００２２】
複数の第１圧搾部どうしの間に低剛性領域が存在することにより、複数の第１圧搾部どうしの間の領域が、着用者の会陰部又は肛門の方に向けて突出するように変形し易くなる。これにより、排泄口対向領域の後側の領域におけるフィット性を向上させることができる。
【００２３】
また、このように、排泄口対向領域の後側の領域を着用者の会陰部又は肛門の方に向けて突出させた場合であっても、前述した複数の仮想折線を基点に吸収体が前後方向に徐々に曲がり易くなっているので、意図しない大きな歪に起因するフィット性の低下を抑制することができる。
【００２４】
好ましい一態様によれば、前記低剛性領域は、前記複数の第１圧搾部どうしの間の領域よりも後方へ延びており、前記圧搾部は、前記複数の第１圧搾部よりも後側で、前記低剛性領域を挟んで両側に配置された第３圧搾部を有する。
【００２５】
第３圧搾部が吸収体の曲げ基点になっており、かつ低剛性領域が複数の第１圧搾部どうしの間の領域よりも後方へ延びている。これにより、着用者の臀裂に向かって吸収体が突出し易くなる。これにより、排泄口対向領域から後側域にわたって、吸収体が着用者の肌にフィットし易くなる。
【００２６】
好ましい一態様によれば、前記低剛性領域は、前記幅方向における前記複数の第１圧搾部よりも外側に位置する前記吸収体の目付よりも低い目付を有する前記吸収体によって構成される。吸収体の目付の調節によって低剛性領域を容易に形成することができる。
【００２７】
好ましい一態様によれば、前記幅方向における前記排泄口対向領域の中央に、前記幅方向における前記排泄口対向領域の端部の前記吸収体の目付よりも高い目付を有する高目付領域が設けられている。
【００２８】
吸収性物品の排泄口対向領域は、着用中に着用者の両脚に挟まることによって幅方向の内側へ力を受ける。この力により、比較的高い剛性の高目付領域が着用者の排泄口に向けて変形する。
【００２９】
好ましい一態様によれば、前記圧搾部は、前記中心線を挟んで両側に、前記前後方向に延びる一対の第２圧搾部を前記排泄口対向領域に有する。
【００３０】
一対の第２圧搾部は吸収体の変形基点になるため、着用者の両脚から幅方向の内側へかかる力によって、一対の第２圧搾部によって挟まれた領域が着用者の肌に向かって凸に変形し易くなる。これにより、排泄口対向領域におけるフィット性を向上させることができる。
【００３１】
好ましい一態様によれば、前記複数の第１圧搾部の前側の端部は、前記第２圧搾部の後側の端部よりも、前記幅方向における内側に配置されている。
【００３２】
着用者の両脚から幅方向の内側へ向けた力は第２圧搾部にかかり易い。第１圧搾部の前側の端部が第２圧搾部の後側の端部よりも幅方向における内側に配置されているため、第２圧搾部にかかった力が、第１圧搾部へ伝わり易くなる。これにより、第１圧搾部から第２圧搾部にわたる領域において、吸収体が着用者の肌に向かって凸に変形し、この凸状の吸収体が意図しない形状に崩れることなく上記の仮想折線が形成されるようになる。したがって、吸収体の凸状の変形を意図しないように崩すことなく複数の仮想折線を基点に前後方向に吸収体が徐々に曲がり易くなる。
【００３３】
好ましい一態様によれば、吸収性物品は、前記吸収性物品を下着に固定する接合部を有し、前記複数の第１圧搾部の少なくとも１つは、厚み方向において前記接合部と重ならない領域に配置されている。
【００３４】
上記態様により、吸収体を意図的に変形させるための上述の複数の仮想折線のうちの少なくとも１つが、接合部と重ならない領域に配置される。したがって、仮想折線に起因する吸収体の意図的な変形が、接合部を介して下着に拘束され難くなっている。よって、仮想折線を基点に前後方向に吸収体を徐々により曲がり易くすることができる。
【００３５】
（２）吸収性物品の具体的構成
以下、図面を参照して、一実施形態について説明する。なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００３６】
図１は、一実施形態における吸収性物品の平面図である。図２は、図１とは反対側から見た吸収性物品の背面図である。図３は、図１に示すＡ−Ａ線に沿った吸収性物品の断面図である。図４は、図１に示すＢ−Ｂ線に沿った吸収性物品の断面図である。図５は、図１に示すＣ−Ｃ線に沿った吸収性物品の断面図である。
【００３７】
本実施形態において吸収性物品１は、生理用ナプキンである。吸収性物品１は、前後方向Ｌと、幅方向Ｗと、厚み方向Ｔと、を有する。幅方向Ｗは、前後方向Ｌと直交する方向である。厚み方向Ｔは、着用者の肌対向面側Ｔ１から非肌対向面側Ｔ２へ延びる方向である。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。厚み方向Ｔは、吸収性物品１を展開した状態において、前後方向Ｌ及び幅方向Ｗと直交する。
【００３８】
吸収性物品１は、前側域Ｓ２、排泄口当接域Ｓ１、会陰部当接域Ｓ４及び後側域Ｓ３を有する。排泄口当接域Ｓ１は、着用者の排泄口（例えば膣口）に対向する領域である。吸収性物品が下着に装着されたときに、排泄口当接域Ｓ１は、下着の股下部に位置する。つまり、排泄口当接域Ｓ１は、着用者の股下、すなわち着用者の両足の間に配置される領域である。
【００３９】
前側域Ｓ２は、排泄口当接域Ｓ１よりも前側に位置する。前側域Ｓ２の前端縁は吸収性物品１の前端縁を規定する。後側域Ｓ３は、排泄口当接域Ｓ１よりも後側に位置する。後側域Ｓ３の後端縁は吸収性物品１の後端縁を規定する。後側域Ｓ３の前後方向Ｌの長さは、排泄口当接域Ｓ１の前後方向Ｌの長さよりも長くなっていてよい。
【００４０】
会陰部当接域Ｓ４は、排泄口当接域Ｓ１と後側域Ｓ３との間の領域であり、膣口と肛門との間の領域に相当する。より具体的には、会陰部当接域Ｓ４は、ウイング３の前後方向Ｌの中心３ＣＬから４０ｍｍ以上かつ１００ｍｍ以下後側の領域によって規定される。
【００４１】
排泄口当接域Ｓ１には、後述するウイング３が設けられていてよい。また、後側域Ｓ３には、幅方向Ｗの外側に膨らんだヒップフラップ４が設けられていてよい。ウイング３及びヒップフラップ４は、排泄口当接域Ｓ１における吸収体３０の外側縁よりも幅方向Ｗの外側に延出している。
【００４２】
ウイング３の前端縁は、ウイング３の付け根によって規定されており、最も幅方向Ｗの内側に窪んだ２つの部分のうち、前側に位置する部分に相当する。ウイング３の前端縁は、排泄口当接域Ｓ１と前側域Ｓ２との境界を規定していてもよい。ウイング３の後端縁は、ウイング３の付け根によって規定されており、最も幅方向Ｗの内側に窪んだ２つの部分のうち、後側に位置する部分に相当する。ウイング３の後端縁は、排泄口当接域Ｓ１と後側域Ｓ３との間に位置していてよい。
【００４３】
吸収性物品１は、肌面シート１０、非肌面シート２０及び吸収体３０を有する。肌面シート１０は、吸収体３０よりも肌対向面側Ｔ１に設けられる。非肌面シート２０は、吸収体３０よりも非肌対向面側Ｔ２に設けられる。吸収体３０は、肌面シート１０と非肌面シート２０との間に設けられる。
【００４４】
吸収体３０は、少なくとも排泄口当接域Ｓ１と後側域Ｓ３に配置されている。吸収体３０は、液体を吸収する吸収材料からなる吸収コア（図示せず）と、吸収コアを包むコアラップ（図示せず）と、を有していてよい。
【００４５】
肌面シート１０は、表面シート１１及びサイドシート１２を有していてよい。表面シート１１は、体液等の液体を透過する液透過性のシートであってよい。サイドシート１２は、幅方向Ｗにおける表面シート１１の外側縁を覆い、表面シート１１よりも幅方向Ｗの外側へ延びている。非肌面シート２０は、液不透過性のシートであってよい。
【００４６】
図２に示すように、非肌面シート２０の非肌対向面には、吸収性物品１を下着に接合するための接合部６０が設けられていてよい。接合部６０は、吸収体３０と重なる領域に配置された本体接合部６１と、ウイング３に配置されたウイング接合部６２と、ヒップフラップ４に配置されたフラップ接合部６３と、を有する。
【００４７】
本体接合部６１は、幅方向Ｗにおける吸収体３０の中心と重ならないように配置されていてよい。本体接合部６１は、幅方向Ｗに離間して複数設けられていてよい。各々の本体接合部６１は、前後方向Ｌに沿って延びていて良い。
【００４８】
吸収体３０は、吸収材料の目付が異なる複数の領域を有する。吸収体３０は、少なくとも、高目付領域３１と、低目付領域３２と、第１側部領域３３と、第２側部領域３４と、を有する。高目付領域３１及び低目付領域３２は、吸収体３０の幅方向Ｗの中央に設けられている。第１側部領域３３は、幅方向Ｗにおいて高目付領域３１の両外側に位置する。第２側部領域３４は、幅方向Ｗにおいて低目付領域３２の両外側に位置する。
【００４９】
高目付領域３１は、幅方向Ｗにおける排泄口対向領域Ｓ１の中央に設けられる。さらに、高目付領域３１は、前後方向Ｌにおけるウイングの中心を通り、幅方向Ｗに延びるウイング中心線３ＣＬに配置されている。高目付領域３１は、着用時に排泄口（膣口）に対向して配置される。高目付領域３１全体が排泄口当接域Ｓ１に設けられていてよい。高目付領域３１の吸収材料の目付は、幅方向Ｗにおける排泄口対向領域Ｓ１の端部の吸収体３０の目付よりも高い目付を有する。より具体的には、高目付領域３１の吸収材料の目付は、周囲の領域（低目付領域３２及び第１側部領域３３）の吸収材料の目付よりも高い。高目付領域３１は、周囲の領域（低目付領域３２及び第１側部領域３３）よりも厚く構成されていてもよい。これにより、排泄口当接域Ｓ１が着用者の膣口に対してフィットし易くなる。
【００５０】
低目付領域３２は、高目付領域３１の後側に配置されている。低目付領域３２の吸収材料の目付は、幅方向Ｗにおける後述の複数の第１圧搾部８１よりも外側に位置する吸収体３０の目付よりも低い目付を有する吸収体３０によって構成される。より具体的には、低目付領域３２は、周囲の領域（高目付領域３１及び第２側部領域３４）の吸収材料の目付よりも低い。低目付領域３２は、少なくとも会陰部当接域Ｓ４と後側域Ｓ３とにわたって延びている。このような構成によれば、低目付領域３２と周囲の領域との剛性差が顕著になり、着用時に容易に変形して、低目付領域３２が着用者の臀部の亀裂に向かって隆起し易くなる。
【００５１】
高目付領域３１の幅方向の長さは、低目付領域３２の幅方向の長さよりも長い。股下域Ｓ１の中央に位置する高目付領域３１の幅方向の長さが低目付領域３２の幅方向の長さよりも長いため、高目付領域３１において広い幅で体液を吸収できる。一方、低目付領域３２の幅方向の長さが高目付領域３１の幅方向の長さよりも短いため、着用者側に隆起する領域が狭い幅となり、着用者の会陰部にフィットし易くなる。
【００５２】
吸収性物品は、少なくとも吸収体３０に形成された圧搾部８０を有する。圧搾部８０は、複数の第１圧搾部８１と、第２圧搾部８２と、第３圧搾部８３と、を有する。
【００５３】
複数の第１圧搾部８１は、排泄口対向領域Ｓ１の後側の領域に設けられ、前側又は後側へ向かうにつれて幅方向Ｗにおける外側へ延びる。複数の第１圧搾部８１は、幅方向Ｗにおける吸収性物品１の中心を通る中心線ＣＬを挟んで両側に配置されており、前後方向Ｌに並んで配置されている。複数の第１圧搾部８１は、着用者の会陰部に対向する領域である会陰部対向領域Ｓ４に設けられている。なお、各々の第１圧搾部８１のうちの少なくとも一部が、前側又は後側へ向かうにつれて幅方向Ｗにおける外側へ延びていればよい。
【００５４】
好ましくは、図１に示すように、複数の第１圧搾部８１は前後方向Ｌに互いに連結している。この場合であっても、前側又は後側へ向かうにつれて幅方向Ｗにおける外側へ延びる第１圧搾部８１の部分が、前後方向Ｌに複数並んでいることに留意されたい。
【００５５】
好ましくは、複数の第１圧搾部８１の各々は、幅方向Ｗにおける外側へ向かうとともに曲線的に湾曲している。会陰部対向領域Ｓ４は、着用者の両脚に挟まれる領域に位置する。会陰部対向領域Ｓ４に設けられた第１圧搾部８１が幅方向Ｗにおける外側に直線的に延びていると、比較的剛性の高い第１圧搾部８１の外側端部が着用者の両脚に強く圧力を与えることがある。本態様では、複数の第１圧搾部８１の各々が幅方向Ｗにおける外側へ向かうとともに曲線的に湾曲しているため、着用者の両脚に与えられる圧力が緩和され、吸収性物品の履き心地を良くすることができる。
【００５６】
好ましくは、複数の第１圧搾部８１の少なくとも１つは、厚み方向において接合部８０と重ならない領域に配置されている。より好ましくは、複数の第１圧搾部８１が、厚み方向において接合部８０と重ならない領域に配置される。
【００５７】
好ましくは、幅方向Ｗにおける複数の第１圧搾部８１どうしの間の領域は、幅方向Ｗにおける複数の第１圧搾部８１よりも外側に位置する吸収体３０の領域よりも低い剛性を有する低剛性領域を有する。低剛性領域は、例えば、吸収体３０の目付を低くすることによって実現することができる。本実施形態では、一例として、低剛性領域は、低目付領域３２によって構成されている。したがって、以下では、「低剛性領域」という用語に対しても、「低目付領域」付した符号と同じ符号「３２」を付すことがある。
【００５８】
好ましくは、低剛性領域３２は、複数の第１圧搾部８１どうしの間の領域よりも後方へ延びている。低剛性領域３２は、後述の第３圧搾部８３よりもさらに後方まで延びていてよい。
【００５９】
第２圧搾部８２は、排泄口対向領域Ｓ１に設けられている。第２圧搾部８２は、中心線ＣＬを挟んで両側に設けられており、前後方向Ｌに延びている。高目付領域３１は、一対の第２圧搾部８２の間に配置されていることが好ましい。また、複数の第１圧搾部８１の前側の端部は、第２圧搾部８２の後側の端部よりも、幅方向Ｗにおける内側に配置されていてよい。
【００６０】
第３圧搾部８３は、複数の第１圧搾部８１よりも後側で、後側域Ｓ３に設けられている。第３圧搾部８３は、中心線ＣＬを挟んで両側に設けられている。第３圧搾部８３は、低剛性領域３２を挟んで両側に配置されていてよい。
【００６１】
また、本明細書における「吸収体の目付」の測定は、以下の測定方法によって行われるものとする。
【００６２】
吸収性物品がパッケージなどに封入されている場合には、パッケージから取り出し、その状態にて20℃±2℃、相対湿度60％±5％RHの雰囲気下において12時間放置したサンプルを用いる。
【００６３】
包装体によって包装された吸収性物品においては包装体を開封し、折り畳まれた吸収性物品を展開して、目付を測定する部分の厚み及び面積を測定する。次いで、目付を測定する部分を吸収性物品から切り出し、切り出した部分の重量を測定する。次いで、切り出した部分から肌面シート及び非肌面シート等、吸収体以外の部分を取り除き、吸収体の重量を測定する。吸収体の重量と、目付を測定する部分の面積とに基づいて目付を算出する。
【００６４】
本明細書における「剛性」は、幅方向に沿う力に対する変形し難さを指標するものであり、剛性が高いほど、曲がり難い。剛性は、吸収体を構成する吸収材料の目付に応じており、目付が高いほど、剛性が高くなる。よって、吸収体の目付を目視等で確認することにより、剛性を確認することができる。また、剛性は、ＪＩＳ  Ｌ  １０９６の測定方法に準拠したガーレー剛性値によって測定することもできる。
【００６５】
（３）着用時の変形態様
次いで、着用時の吸収性物品の変形態様について図６〜８を参照して詳細に説明する。図６は、図１のＡ−Ａ線を基準とした着用状態の吸収性物品の断面図である。図７は、図１のＣ−Ｃ線を基準とした着用状態の吸収性物品の断面図である。図８は、着用状態の吸収性物品の前後方向Ｌに沿った部分的断面図である。図８は、会陰部対向領域Ｓ４を示している。
【００６６】
吸収性物品１は、着用者の両足によって挟まれ、幅方向Ｗの外側から幅方向Ｗの内側に向かう力がかかる。吸収性物品１の排泄口対向領域Ｓ１は、着用中に着用者の両脚に挟まることによって比較的高い剛性になるとともに、着用者の排泄口にフィットするように構成されている（図６参照）。
【００６７】
特に、排泄口対向領域Ｓ１に前述の高目付領域３１が設けられている場合、比較的高い剛性の高目付領域３１が着用者の排泄口に向けて変形し、着用者の排泄口に対するフィット性が向上する。
【００６８】
さらに、前述の第２圧搾部８２が設けられている場合、一対の第２圧搾部８２は吸収体３０の変形基点になるため、着用者の両脚から幅方向の内側へかかる力によって、一対の第２圧搾部８２に挟まれた領域が着用者の肌に向かって凸に変形し易くなる。これにより、排泄口対向領域Ｓ１におけるフィット性をさらに向上させることができる。
【００６９】
上記のような状態で、吸収性物品１は、着用者の身体の湾曲に沿って前後方向Ｌにも湾曲される（図８参照）。
【００７０】
上記実施形態によれば、吸収性物品１の幅方向内側へ向かう力は、中心線ＣＬを挟んで両側に配置された一対の第１圧搾部８１へ伝わる。各々の第１圧搾部８１は、前側又は後側へ向かうにつれて幅方向における外側へ延びているため、第１圧搾部８１の外側部分へ伝わった力は第１圧搾部８１に沿って幅方向Ｗの内側へ向かう。そのため、中心線ＣＬを挟んで両側に配置された一対の第１圧搾部８１の幅方向Ｗの内側の端部どうし結ぶ仮想折線（図１の符号ＦＬ参照）上に強い力が加わり、その結果、吸収性物品１は、仮想折線ＦＬを基点に前後方向Ｌに曲がり易くなる（図８参照）。
【００７１】
複数の第１圧搾部８１が前後方向Ｌに複数並んでいるので、上記の仮想折線ＦＬは、排泄口対向領域Ｓ１の後側の領域に複数形成される。この複数の仮想折線を基点に前後方向Ｌに吸収体３０が徐々に曲がるため、吸収体３０に意図しない大きな歪が生じ難い。その結果、着用者の肌と吸収体との間に隙間が生じ難く、排泄口対向領域Ｓ１の後側の領域におけるフィット性をより向上させることができる。
【００７２】
特に、会陰部対向領域Ｓ４は、着用者の会陰部、すなわち膣口と肛門との間の領域に相当する。着用者の会陰部は、前後方向Ｌにおける着用者の身体の湾曲が大きい領域に相当する。この領域に複数の第１圧搾部８１が設けられていることで、複数の仮想折線ＦＬが会陰部対向領域Ｓ４に形成されることになる。これにより、会陰部対向領域Ｓ４において、複数の仮想折線ＦＬを基点に前後方向Ｌに吸収体３０が徐々に曲がるため、会陰部対向領域Ｓ４におけるフィット性をより向上させることができる。
【００７３】
なお、会陰部対向領域Ｓ４におけるフィット性を一層向上させるには、３つ以上の第１圧搾部８１が、会陰部対向領域Ｓ４内に配置されていることがより好ましい。
【００７４】
特に、前述の仮想折線ＦＬが、会陰部対向領域Ｓ４に内で５ｍｍ以上の間隔を開けて少なくとも２つ、好ましくは３つ並んで形成されるように、第１圧搾部８１が、設けられるとよい。このため、第１圧搾部８１の幅方向の内側の端点が、会陰部対向領域Ｓ４内で５ｍｍ以上の間隔を開けて少なくとも２つ、好ましくは３つ並んで形成されるとよい。
【００７５】
また、複数の第１圧搾部８１どうしの間に低剛性領域３２が存在する場合、複数の第１圧搾部８１どうしの間の領域が、着用者の会陰部又は肛門の方に向けて突出するように変形し易くなる。これにより、排泄口対向領域Ｓ１の後側の領域におけるフィット性をより向上させることができる。また、このように、排泄口対向領域Ｓ１の後側の領域を着用者の会陰部又は肛門の方に向けて突出させた場合であっても、前述した複数の仮想折線ＦＬを基点に吸収体３０が前後方向Ｌに徐々に曲がり易くなっているので、意図しない大きな歪に起因するフィット性の低下を抑制することができる。
【００７６】
また、フィット性のため、複数の第１圧搾部８１の前側の端部が第２圧搾部８２の後側の端部よりも、幅方向Ｗにおける内側に配置されていることが好ましい。着用者の両脚から幅方向の内側へ向けた力は第２圧搾部８２にかかり易い。第１圧搾部８１の前側の端部が第２圧搾部８２の後側の端部よりも幅方向Ｗにおける内側に配置されているため、第２圧搾部８２にかかった力が、第１圧搾部８１へ伝わり易くなる。これにより、第１圧搾部８１から第２圧搾部８２にわたる領域において、吸収体３０が着用者の肌に向かって凸に変形し、この凸状の吸収体３０が意図しない形状に崩れることなく上記の仮想折線ＦＬが形成されるようになる。したがって、吸収体３０の凸状の変形を意図しないように崩すことなく複数の仮想折線ＦＬを基点に前後方向Ｌに吸収体３０が徐々に曲がり易くなる。
【００７７】
また、第１圧搾部８１が接合部８０と重ならない領域に配置されている場合、吸収体３０を意図的に変形させるための上述の複数の仮想折線ＦＬのうちの少なくとも１つが、接合部８０と重ならない領域に配置される。したがって、仮想折線ＦＬに起因する吸収体３０の意図的な変形が、接合部８０を介して下着Ｓに拘束され難くなっている。よって、仮想折線ＦＬを基点に前後方向Ｌに吸収体３０を徐々により曲がり易くすることができる。
【００７８】
さらに、前述の仮想折線ＦＬのところで吸収体３０を意図的に曲げ易くするため、複数の第１圧搾部８１が前後方向Ｌに互いに連結していることが好ましい。仮に、前後方向Ｌにおいて第１圧搾部８１どうしの間にギャップが存在すると、そのギャップのところで吸収体３０が意図せず大きく歪んでしまう可能性がある。複数の第１圧搾部８１が前後方向Ｌに互いに連結しているので、このような吸収体３０の意図しない歪みを抑制することができ、前述の仮想折線ＦＬのところで吸収体３０を意図的に曲げ易くなる。
【００７９】
また、複数の第１圧搾部８１が前後方向Ｌに互いに連結している場合、前後方向Ｌに隣接する第１圧搾部８１は、幅方向Ｗにおける内側縁で角度を持って連結していることが好ましい。これにより、中心線ＣＬを挟んで両側に位置する一対の第１圧搾部８１の内側縁どうしの間により強い力が働くため、後述する仮想折線ＦＬのところで吸収性物品がより曲がり易くなる。特に、このように前後方向Ｌに隣接する第１圧搾部８１どうしの角度を持った連結部分は、会陰部対向領域Ｓ４内で、前後方向Ｌに少なくとも２つ並んでいることがより好ましい。
【００８０】
また、低剛性領域３２を挟んで両側に配置された第３圧搾部８３が設けられている場合、第３圧搾部８３が吸収体３０の曲げ基点になる。さらに、低剛性領域３２が複数の第１圧搾部８１どうしの間の領域よりも後方へ延びていため、着用者の臀裂に向かって吸収体３０が突出し易くなる。これにより、排泄口対向領域Ｓ１から後側領Ｓ３にわたって、吸収体３０が着用者の肌にフィットし易くなる（図７も参照）。
【００８１】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８２】
１        吸収性物品
３０      吸収体
３１      高目付領域
３２      低目付領域
６０      接合部
６１      本体接合部
６２      ウイング接合部
６３      フラップ接合部
８０      圧搾部
８１      第１圧搾部
８２      第２圧搾部
８３      第３圧搾部
ＦＬ      仮想折線
ＣＬ      中心線
Ｓ１      排泄口当接域
Ｓ２      前側域
Ｓ３      後側域
Ｓ４      会陰部当接域
Ｌ        前後方向
Ｔ        厚み方向
Ｗ        幅方向
【図１】
2018175600.tif 000003
【図２】
2018175600.tif 000004
【図３】
2018175600.tif 000005
【図４】
2018175600.tif 000006
【図５】
2018175600.tif 000007
【図６】
2018175600.tif 000008
【図７】
2018175600.tif 000009
【図８】
2018175600.tif 000010